(57)【要約】【課題】体液を吸収した状態においても通気性や体液の透過性が良好である吸収性シート、及びこれを使用した吸収性物品を提供すること。【解決手段】第１の不織布及び第２の不織布の間に、高吸水性ポリマーが挟持された吸収性シートであって、第１の不織布及び第２の不織布は、複数の柱形状又は錐台形状の凸部を有するとともに、第１の不織布に形成された凸部の高さは、第２の不織布に形成された凸部の高さよりも高く、第１の不織布及び第２の不織布は、第１の不織布に形成された凸部の反対面から構成される凹部に、第２の不織布の凸部が嵌合するように積層されて互いに接着されており、ただし、柱形状又は錐台形状の凸部の側面には、第１の不織布と第２の不織布とが互いに接着されていない非接着部を有し、高吸水性ポリマーは、第１の不織布に形成された凸部の上面と、第２の不織布に形成された凸部の上面の間の空隙に局在する、吸収性シート。【選択図】図１
2017121354.tif 000002
【特許請求の範囲】
【請求項１】
第１の不織布及び第２の不織布の間に、高吸水性ポリマーが挟持された吸収性シートであって、
第１の不織布及び第２の不織布は、複数の柱形状又は錐台形状の凸部を有するとともに、第１の不織布に形成された凸部の高さは、第２の不織布に形成された凸部の高さよりも高く、
第１の不織布及び第２の不織布は、第１の不織布に形成された凸部の反対面から構成される凹部に、第２の不織布の凸部が嵌合するように積層されており、かつ第１の不織布と第２の不織布の接触部において互いに接着されており、
ただし、柱形状又は錐台形状の凸部の側面には、第１の不織布と第２の不織布とが互いに接着されていない非接着部を有し、
前記高吸水性ポリマーは、第１の不織布に形成された凸部の上面と、第２の不織布に形成された凸部の上面の間の空隙に局在する、吸収性シート。
【請求項２】
非接着部が、凸部の側面上、帯状に形成されている、請求項１に記載の吸収性シート。
【請求項３】
非接着部の面積が、凸部の側面面積の５％以上９５％以下である、請求項１又は２に記載の吸収性シート。
【請求項４】
第１の不織布及び第２の不織布が、スパンボンド不織布又はエアースルー不織布である、請求項１から３のいずれかに記載の吸収性シート。
【請求項５】
第１の不織布及び第２の不織布の坪量が、１０ｇ／ｍ２以上１００ｇ／ｍ２以下である、請求項１から４のいずれかに記載の吸収性シート。
【請求項６】
さらに、第１の不織布に第３の不織布が積層されて、第１の不織布及び第３の不織布の間に高吸水性ポリマーが挟持されており、
第３の不織布は、複数の柱形状又は錐台形状の凸部を有するとともに、第３の不織布に形成された凸部の高さは、第１の不織布に形成された凸部の高さよりも低く、
前記高吸水性ポリマーが、第１の不織布上の凸部の形成されていない面と、第３の不織布上の凸部の形成されていない面の間の空間に局在し、
第１の不織布と第２の不織布とが互いに接着されていない非接着部において、第１の不織布と第３の不織布とが互いに接着されていない非接着部を有する、請求項１から５のいずれかに記載の吸収性シート。
【請求項７】
衣類側に配置される高吸水性ポリマーの吸収速度を、身体側に配置される高吸水性ポリマーの吸収速度よりも速いものとする、請求項６に記載の吸収性シート。
【請求項８】
衣類側に配置される高吸水性ポリマーの吸収速度を、身体側に配置される高吸水性ポリマーの吸収速度よりも遅いものとする、請求項６に記載の吸収性シート。
【請求項９】
液透過性のトップシート及び液不透過性のバックシートを有し、
前記トップシートと前記バックシートとの間に、前記トップシート側から前記バックシート側に向かって、請求項１から８のいずれかに記載の吸収性シート、及び吸収体が、この順に配置され、
前記吸収体が、吸収性繊維及び高吸水性ポリマーを含有する、吸収性物品。
【発明の詳細な説明】
【技術分野】
【０００１】
本発明は、通気性及び体液の透過性が改善された吸収性シートに関する。
【背景技術】
【０００２】
使い捨ておむつ等の吸収性物品は、液透過性のトップシートと、液不透過性のバックシートと、トップシートとバックシートの間に配置された吸収体により構成されており、この吸収性物品は、想定される使用状況における体液の排出量に応じて、様々な吸収量のものが存在する。吸収性物品の吸収量を改善するためには、例えば、吸収体に含まれるフラッフパルプ等の吸水性繊維や、高吸水性ポリマーの含有量を増加させる手法や、吸収体に積層して吸収性シートを配置する方法が一般に知られている。
【０００３】
吸収性物品の吸収量を改善するため等に用いられる吸収性シートとして、例えば、特許文献１には、一方の面に接着剤が塗布された第１の不織布と、第１の不織布の一方の面と対向する面に接触式で接着剤が塗布された第２の不織布と、互いに離れた複数の領域に配置され、第１の不織布及び第２の不織布に挟まれて第１の不織布及び第２の不織布に接着されるとともに、幅方向の両側において第１の不織布と第２の不織布が互いに接着される高吸水性ポリマーと、を備える吸収性シートが開示されている。
【先行技術文献】
【特許文献】
【０００４】
【特許文献１】特開２００６−１５８６７６号公報
【発明の概要】
【発明が解決しようとする課題】
【０００５】
しかしながら、吸収性物品に対して、従来の吸収性シートを配置した場合、吸水した吸収性シートが蒸気の流通を遮断してしまうため、吸収性物品全体の通気性が低下してしまうという問題があった。また、吸収性シートが一度吸水すると、その後に体液が排出されても、吸水した吸収性シートが体液の流通をも遮断し、吸収性シートの衣類側に存在する吸収体によって排出された体液を吸収できないという問題があった。特許文献１の発明についても、吸収性シート上に非連続的に高吸水性ポリマーが配置されているものの、第１の不織布に形成される凸部の全体に高吸水性ポリマーが充填されるとともに、第１の不織布の凸部以外の部位は、接着剤により、第２の不織布と接着されているので、高吸水性ポリマーが体液を吸収した場合には、依然として、蒸気や体液の透過性が低下してしまう問題があった。したがって、本発明は以上の課題に鑑みてなされたものであり、体液を吸収した状態においても通気性や体液の透過性が良好である吸収性シート、及びこれを使用した吸収性物品を提供することを目的とする。
【課題を解決するための手段】
【０００６】
本発明の発明者らは、上記課題に鑑み、鋭意研究を行った。その結果、所定の柱形状又は錐台形状の凸部を有する第１の不織布及び第２の不織布の間に、高吸水性ポリマーが挟持された吸収性シートであって、第１の不織布と第２の不織布の接合面の一部に、第１の不織布と第２の不織布が互いに接着されていない非接着部を有する吸収性シートによれば、上記の課題を解決できることを見出し、本発明を完成するに至った。具体的には、本発明は以下のものを提供する。
【０００７】
（１）本発明の第１の態様は、第１の不織布及び第２の不織布の間に、高吸水性ポリマーが挟持された吸収性シートであって、第１の不織布及び第２の不織布は、複数の柱形状又は錐台形状の凸部を有するとともに、第１の不織布に形成された凸部の高さは、第２の不織布に形成された凸部の高さよりも高く、第１の不織布及び第２の不織布は、第１の不織布に形成された凸部の反対面から構成される凹部に、第２の不織布の凸部が嵌合するように積層されており、かつ第１の不織布と第２の不織布の接触部において互いに接着されており、ただし、柱形状又は錐台形状の凸部の側面には、第１の不織布と第２の不織布とが互いに接着されていない非接着部を有し、前記高吸水性ポリマーは、第１の不織布に形成された凸部の上面と、第２の不織布に形成された凸部の上面の間の空隙に局在する、吸収性シートである。
【０００８】
（２）本発明の第２の態様は、（１）に記載の吸収性シートであって、非接着部が、凸部の側面上、帯状に形成されていることを特徴とするものである。
【０００９】
（３）本発明の第３の態様は、（１）又は（２）に記載の吸収性シートであって、非接着部の面積が、凸部の側面面積の５％以上９５％以下であることを特徴とするものである。
【００１０】
（４）本発明の第４の態様は、（１）から（３）のいずれかに記載の吸収性シートであって、第１の不織布及び第２の不織布が、スパンボンド不織布又はエアースルー不織布であることを特徴とするものである。
【００１１】
（５）本発明の第５の態様は、（１）から（４）のいずれかに記載の吸収性シートであって、第１の不織布及び第２の不織布の坪量が、１０ｇ／ｍ２以上１００ｇ／ｍ２以下であることを特徴とするものである。
【００１２】
（６）本発明の第６の態様は、（１）から（５）のいずれかに記載の吸収性シートであって、さらに、第１の不織布に第３の不織布が積層されて、第１の不織布及び第３の不織布の間に高吸水性ポリマーが挟持されており、第３の不織布は、複数の柱形状又は錐台形状の凸部を有するとともに、第３の不織布に形成された凸部の高さは、第１の不織布に形成された凸部の高さよりも低く、前記高吸水性ポリマーが、第１の不織布上の凸部の形成されていない面と、第３の不織布上の凸部の形成されていない面の間の空間に局在し、第１の不織布と第２の不織布とが互いに接着されていない非接着部において、第１の不織布と第３の不織布とが互いに接着されていない非接着部を有することを特徴とするものである。
【００１３】
（７）本発明の第８の態様は、（６）に記載の吸収性シートであって、衣類側に配置される高吸水性ポリマーの吸収速度を、身体側に配置される高吸水性ポリマーの吸収速度よりも速いものとすることを特徴とするものである。
【００１４】
（８）本発明の第８の態様は、（６）に記載の吸収性シートであって、衣類側に配置される高吸水性ポリマーの吸収速度を、身体側に配置される高吸水性ポリマーの吸収速度よりも遅いものとすることを特徴とするものである。
【００１５】
（９）本発明の第９の態様は、液透過性のトップシート及び液不透過性のバックシートを有し、前記トップシートと前記バックシートとの間に、前記トップシート側から前記バックシート側に向かって、（１）から（８）のいずれかに記載の吸収性シート、及び吸収体が、この順に配置され、前記吸収体が、吸水性繊維及び高吸水性ポリマーを含有する、吸収性物品である。
【発明の効果】
【００１６】
本発明の吸収性シートは、第１の不織布及び第２の不織布が柱形状又は錐台形状の凸部を有し、この２つの凸部に挟まれる形で、第１の不織布と第２の不織布の間に高吸水性ポリマーが挟持される。このため、第１の不織布及び第２の不織布の柱又は錐台の側面には、高吸水性ポリマーが存在しない部位が存在することとなり、高吸水性ポリマーが体液を吸収した後においても吸水した高吸水性ポリマーにより蒸気や体液が遮断されることがない。また、この柱又は錐台の側面には、第１の不織布と第２の不織布とが互いに接着されていない非接着部を有するので、この部位を蒸気や体液が効率的に透過することができる。これらの構成により、吸収性シート全体としての蒸気や体液の透過性が十分に担保される。
【図面の簡単な説明】
【００１７】
【図１】吸収性シートの表面斜視図である。
【図２】図１におけるｘ−ｘ断面図を示す図面である。
【図３】吸収性シートに第３の不織布を具備させる態様を示す図面である。
【図４】（ａ）吸収性シートの製造方法の一態様、（ｂ）熱エンボスロール上の凸部及び凹部を示す図面である。
【図５】吸収性シートの使用時の態様を示す図面である。
【発明を実施するための形態】
【００１８】
以下、本発明について図面を参照して詳細に説明する。
【００１９】
＜吸収性シート＞
図１は、本発明の吸収性シート１の表面斜視図であり、図２は、図１におけるｘ−ｘ断面図を示す図面である。本発明の吸収性シート１は、第１の不織布２及び第２の不織布３に、高吸水性ポリマー６が挟持されたものである。
【００２０】
［第１の不織布、第２の不織布］
第１の不織布２及び第２の不織布３は、複数の柱形状又は錐台形状の凸部５を有しており、第１の不織布２及び第２の不織布３のそれぞれにおいて、この凸部５が、縦方向及び横方向に連続して形成されている。第１の不織布２及び第２の不織布３が形成する平面上において、連続する凸部５は、第１の不織布２及び第２の不織布３上の、互いに対応する位置に形成されており、第１の不織布２と第２の不織布３とを互いに積層させたとき、第１の不織布２に形成された凸部５の反対面から構成される凹部に、第２の不織布３の凸部５が、嵌合できるようになっている。ここで、第１の不織布２に形成された凸部５の高さは、第２の不織布３に形成された凸部５の高さよりも高くなっており、例えば、第１の不織布２と第２の不織布３とを積層させた際に、第１の不織布２及び第２の不織布３それぞれの凸部５の上面のみが互いに接触せず、第１の不織布２の凸部５の上面と第２の不織布３の凸部５の上面との間に空隙が形成されるようになっている。第１の不織布２と第２の不織布３との間に高吸水性ポリマー６が挟持される際には、この空隙に高吸水性ポリマー６が局在する。
【００２１】
図５に示すように、第１の不織布２と第２の不織布３とが、柱形状又は錐台形状を有する凸部５を有することにより、吸収性シート１が立体形状を有するものとなり、立体上の一部の領域に高吸水性ポリマー６が局在することになるので、高吸水性ポリマー６が体液を吸収した後においても、通気性や体液の透過性が十分に確保される。
【００２２】
第１の不織布２及び第２の不織布３に形成される凸部５の形状及び配置は、第１の不織布２と第２の不織布３との凸部５が互いに嵌合可能なものであれば、特に限定されるものではないが、例えば、円錐台、角錐台、円柱、角柱のほか、長尺の屈曲した又は屈曲していない底面を有する錐台又は柱とすることもできる。また、凸部５が円錐台、角錐台、円柱、角柱である場合、凸部５の配列は、各凸部が並行する縦方向の直線とそれと直行して並行する横方向の直線との交点に設けられていてもよく、並行する縦方向の直線とそれと斜交して並行する横方向の直線との交点に設けられていてもよく、並行する斜線上に交互に設けられていてもよい。
【００２３】
第１の不織布２及び第２の不織布３としては、スパンボンド不織布、エアースルー不織布、メルトブロー不織布、ポイントボンド不織布、サーマルボンド不織布等の不織布から、適宜選択して用いることができるが、これらの中でも通気性及び体液の透過性の観点から、スパンボンド不織布及びエアースルー不織布を用いることが好ましい。第１の不織布２及び第２の不織布３の坪量は、１０ｇ／ｍ２以上１００ｇ／ｍ２以下であることが好ましく、１５ｇ／ｍ２以上９０ｇ／ｍ２以下であることがより好ましい。
【００２４】
［非接着部］
第１の不織布２及び第２の不織布３は、これらが互いに接する接触部において、例えば、熱エンボス加工や超音波接着等の公知の手法により接着されているものの、柱形状又は錐台形状の凸部５の側面においては、第１の不織布２と第２の不織布３とが互いに接着されていない非接着部７を有する。柱形状又は錐台形状の凸部５の側面に非接着部７を形成することにより、この部分を通じて蒸気や体液を透過させることができ、吸収性シート１における通気性や体液の透過性を十分に確保することができる。非接着部７は、凸部５の側面上、帯状に形成されていることが好ましい。これにより、吸収性シート１の広い領域に対して、非接着部７をより均一に配置することができ、吸収性シート１を全体的に、通気性及び体液の透過性が改善されたものとすることができるとともに、第１の不織布２と第２の不織布３の一部の領域について接着性が低下することもない。
【００２５】
非接着部７の面積は、凸部５の側面面積の５％以上９５％以下であることが好ましく、１０％以上９０％以下であることがより好ましい。非接着部７の面積を上記の範囲内のものとすることにより、吸収性シート１の通気性、体液の透過性と、第１の不織布２及び第２の不織布３の間の接着性とのバランスを良好に維持することができる。
【００２６】
なお、非接着部７は、凸部５の上面及び下面を含まないことが好ましく、これにより、非接着部７が上下の接触部に挟まれた構成となるが、本発明における非接着部７の態様は、このような態様に限定されず、例えば、非接着部７が凸部５の上面及び下面のいずれか一方に及んでいてもよい。この場合、非接着部７の上面側のみ又は下面側のみに接触部が形成されることとなるが、これにより高吸水性ポリマー６の固定が緩くなる一方で、吸収性シート１の風合いがより柔らかなものとなる。
【００２７】
［高吸水性ポリマー］
本発明の吸収性シート１は、第１の不織布２及び第２の不織布３の間に、高吸水性ポリマー６（Ｓｕｐｅｒ  Ａｂｓｏｒｂｅｎｔ  Ｐｏｌｙｍｅｒ；以下、ＳＡＰとも称する）を挟持している。ＳＡＰとしては、体液を吸収し、かつ、逆流を防止できるものであれば特に限定されるものではなく、例えば、ポリアクリル酸ナトリウム系、ポリアスパラギン酸塩系、(デンプン−アクリル酸)グラフト共重合体、（アクリル酸−ビニルアルコール)共重合体、（イソブチレン−無水マレイン酸）共重合体及びそのケン化物、といった材料から形成されたものを挙げることができる。これらの中でも、重量当たりの吸収量の観点から、ポリアクリル酸ナトリウム系を使用することが好ましい。吸収性シート１におけるＳＡＰの坪量は、吸収性能及び肌触りを良好なものとする観点から、５０ｇ／ｍ２以上５００ｇ／ｍ２以下とすることが好ましい。
【００２８】
［第３の不織布］
本発明の吸収性シート１においては、第１の不織布２に対して、更に第３の不織布４が積層されて、第１の不織布２及び第３の不織布４の間に、高吸水性ポリマー６が挟持されていることが好ましい。ここで、第３の不織布４は、柱形状又は錐台形状の凸部５を有するとともに、第３の不織布４上の凸部５の位置は、第１の不織布２上の凸部５の位置と対応しており、第１の不織布２と第３の不織布４とを積層した際に、第３の不織布４の凸部５が、第１の不織布２の凸部５の反対面で構成される凹部に嵌合できるようになっている。ここで、第３の不織布４に形成される凸部５の高さは、第１の不織布２に形成された凸部５の高さよりも低くなっており、高吸水性ポリマー６が、第１の不織布２上の凸部５の形成されていない面と、第３の不織布４上の凸部５の形成されていない面の間の空間に局在している。吸収性シート１が第３の不織布４を有し、第１の不織布及び第３の不織布４の間に高吸水性ポリマー６を挟持させることにより、吸収性シート１の通気性、体液の透過性を十分に確保しつつも、吸収性シート１の吸水量を向上させることができる。なお、この際、第１の不織布２と第２の不織布３の間に挟持される高吸水性ポリマー６の吸収速度を、第１の不織布２と第３の不織布４の間に挟持される高吸水性ポリマー６の吸収速度と異なるものとしてもよい。この場合、衣類側に配置される高吸水性ポリマー６の吸収速度を、身体側に配置される高吸水性ポリマー６の吸収速度よりも速いものとしてもよいし、衣類側に配置される高吸水性ポリマー６の吸収速度を、身体側に配置される高吸水性ポリマー６の吸収速度よりも遅いものとしてもよいが、例えば、衣類側に配置される高吸水性ポリマー６の吸収速度を、身体側に配置される高吸水性ポリマー６の吸収速度よりも速いものとすることにより、体液をより迅速に吸収することができる。
【００２９】
第１の不織布２及び第３の不織布４は、第１の不織布２及び第２の不織布３が互いに接着されていない非接着部において、互いに接着されていない非接着部７を形成している。これにより、吸収性シート１の通気性及び体液の透過性を十分に確保することができる。
【００３０】
［吸収性シートの製造方法］
図４は、本発明の吸収性シート１の製造方法の一態様を示す図面である。本発明の吸収性シート１を製造するにあたっては、図４（ａ）に示すように、第１の不織布２を、凸部１１を有する熱エンボスロール８で巻き取りながら、ＳＡＰ散布装置１０で凸部１１の表面に高吸水性ポリマー６を塗布し、次いで、第２の不織布３とともに、熱エンボス加工を施すことにより、製造することができる。この際、図４（ｂ）に示すように一方の熱エンボスロール８の凸部１１と、他方の熱エンボスロール９の凹部１２とが、凸部１１の頂面と凹部１２の底面とが接触しないように嵌合することにより、第１の不織布２の凸部５の高さが、第２の不織布３の凸部５の高さよりも高くなるようにエンボスパターンを形成することができる。そして、第１の不織布２と第２の不織布３とを熱エンボス加工する際に、非接着部７の接する部位においては、熱エンボスロール８の凸部１１に凹部１３を形成し、第１の不織布２及び第２の不織布３が熱エンボスロール８に接触しないようにすればよい。
【００３１】
＜吸収性物品＞
本発明は、上記の吸収性シート１を使用した吸収性物品にも関する。吸収性物品は、身体側表面側に配された液透過性のトップシート、及びトップシートに対向して配置された液不透過性のバックシートを有し、トップシートとバックシートとの間に、トップシート側からバックシート側に向かって、上記の吸収性シート１及び吸収体が配置されている。吸収性シート１の下層に吸収体を設けることにより、吸収性シート１で吸収しきれなかった体液を、吸収体で吸収させることができる。
【００３２】
［トップシート］
トップシートは、体液が吸収体へと移動するような液透過性を備えた基材を用いればよく、例えば、サーマルボンド不織布等の不織布、サーマルボンド不織布／スパンボンド不織布を積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシートは、液透過性を向上させるために、表面にエンボス加工や穿孔加工を施すことが好ましく、エンボス加工や穿孔加工は、従来公知の方法により実施することができる。さらに、トップシートの肌への刺激を低減させるために、トップシートにローション、酸化防止剤、抗炎症成分、ｐＨ調整剤、抗菌剤、保湿剤等を含有させることも好ましい。トップシートの坪量は、強度及び加工性の観点から、１４ｇ／ｍ２以上４０ｇ／ｍ２以下であることが好ましい。トップシートの形状は、特に制限されるものではないが、体液を漏れがないように吸収体へと誘導するため、吸収体を覆う形状であればよい。
【００３３】
［吸収体］
吸収体は、体液を吸収、保持するものであり、例えば、フラッフパルプや高吸水性ポリマーを含有している。吸収体の基材となる吸収性繊維は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布といった材料から形成される。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。また、吸収体の基材の坪量は、吸収性能及び肌触りを良好なものとするため、１００ｇ／ｍ２以上８００ｇ／ｍ２以下とすることが好ましい。
【００３４】
吸収体のＳＡＰとしては、体液を吸収し、かつ、逆流を防止できるものであれば特に限定されるものではなく、例えば、ポリアクリル酸ナトリウム系、ポリアスパラギン酸塩系、(デンプン−アクリル酸)グラフト共重合体、（アクリル酸−ビニルアルコール)共重合体、（イソブチレン−無水マレイン酸）共重合体及びそのケン化物、といった材料から形成されたものを挙げることができる。これらの中でも、重量当たりの吸収量の観点から、ポリアクリル酸ナトリウム系を使用することが好ましい。吸収体のＳＡＰの坪量は、吸収性能及び肌触りを良好なものとする観点から、５０ｇ／ｍ２以上５００ｇ／ｍ２以下とすることが好ましい。
【００３５】
吸収体は、基材とＳＡＰとを含有するものが好ましく、その構成は、基材中にＳＡＰ粒子を混合して形成したものが好ましい。また、ＳＡＰ粒子の漏洩防止や吸収体の形状安定化の観点から、吸収体をキャリアシートに包むことが好ましい。キャリアシートの基材としては、親水性を有するものであればよく、ティシュ、吸収紙、エアレイド不織布等の親水性不織布を挙げることができる。吸収体がキャリアシートを複数備える場合には、キャリアシートの基材は同一のものであっても異なるものであってもよい。
【００３６】
吸収体の形状としては、特に限定されるものではなく、例えば、矩形状、砂時計状、Ｉ字状等を挙げることができる。吸収体は、２層以上を重ねて用いてもよい。
【００３７】
［バックシート］
バックシートは、吸収体が保持している体液が衣類を濡らすことを防止できるような液不透過性を備えた基材を用いればよく、例えば、ポリエチレンシートを用いることができる。バックシートの坪量は、強度及び加工性の観点から、１０ｇ／ｍ２以上４０ｇ／ｍ２以下であることが好ましい。また、装着時の蒸れを防止するため、バックシートは、通気性を持たせることが好ましい。バックシートに通気性を備えさせるためには、例えば、ポリエチレンフィルムにフィラーを配合したり、バックシートにエンボス加工を施したりすればよい。ここで、フィラーとしては、炭酸カルシウムを挙げることができ、その加工方法としては、公知の方法を制限なく利用することができる。
【００３８】
さらに、吸収性物品は、着用者のフィット性を向上させるために、立体ギャザー用弾性部材を有する立体ギャザー、レッグギャザー用弾性部材を有するレッグギャザー、ウエストギャザー用弾性部材を有するウエストギャザーを備えていてもよい。レッグギャザー、ウエストギャザーを有することにより、吸収性物品の脚部開口部、胴部に伸縮性を持たせて、着用時のフィット感を高めて体液が外部に漏れ出ることを防止し、立体ギャザーを有することにより横漏れを防止する。
【００３９】
［吸収性物品の製造方法］
吸収性物品の製造方法としては、特に限定はなく、従来公知の方法を採用することができ、例えば、トップシートとバックシートとの間に吸収体及び吸収性シートを挟持し、さらに、必要に応じて、サイドフラップ、サイドパネル、ファスニングテープ、立体ギャザー等を、トップシートとバックシートとを一部あるいは全周にわたってホットメルト接着剤やヒートエンボス、超音波エンボス、高周波エンボス等を用いて固定することで製造することができる。
【００４０】
以上、本発明を実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４１】
１    吸収性シート
２    第１の不織布
３    第２の不織布
４    第３の不織布
５    凸部
６    高吸水性ポリマー
７    非接着部
８    熱エンボスロール
９    熱エンボスロール
１０  ＳＡＰ散布装置
１１  （熱エンボスロール上の）凸部
１２  （熱エンボスロール上の）凹部
１３  （凸部上の）凹部
【図１】
2017121354.tif 000003
【図２】
2017121354.tif 000004
【図３】
2017121354.tif 000005
【図４】
2017121354.tif 000006
【図５】
2017121354.tif 000007